(57)【特許請求の範囲】
【請求項１】
流体管路の流量を検出する流体検出手段の信号に基づいて流量値を算出する流量計測手段と、前記流量計測手段の測定の開始または停止を制御する計測発停手段と、前記流量計測手段の値に基づいた信号を外部に送出する通信手段と、前記流量計測手段の計測停止時に前記通信手段を作動させる通信制御手段とを備えた計量メータ。
【請求項２】
計測発停手段の計測停止時に通信制御手段に信号を送出する計測報知手段を備えた請求項１記載の計量メータ。
【請求項３】
通信制御手段の通信終了時に計測発停手段に信号を送出する通信報知手段を備えた請求項１記載の計量メータ。
【請求項４】
流体管路の流量を検出する流体検出手段の信号に基づいて流量値を算出する流量計測手段と、前記流量計測手段の値に基づいた信号を外部に送出する通信手段と、前記通信手段の作動時に前記流量計測手段の計測を停止する計測発停手段とを備えた計量メータ。
【請求項５】
通信手段は、無線送信手段を備えた請求項１または請求項４記載の計量メータ。
【請求項６】
通信手段の作動によって停止した流量計測手段の値を破棄し、前回の値を代入して流量値を算出する請求項４記載の計量メータ。
【請求項７】
流体管路に設けられた振動子と、前記振動子から発信された超音波信号を受信する振動子と、前記振動子へ超音波を発信するトリガ手段と、前記振動子間の信号伝搬時間に基づいて流量を算出する流量計測手段と、前記流量計測手段に基づいた信号を外部に送出する通信手段と、前記通信手段の作動時に前記トリガ手段を停止する計測制御手段とを備えた計量メータ。
【請求項８】
送信手段は通信用振動子により超音波で流体管路内を伝送する請求項６記載の計量メータ。
【発明の詳細な説明】
【０００１】
【産業上の利用分野】
本発明は、ガスや水道の流量を計測するメータに関するものである。
【０００２】
【従来の技術】
従来のこの種の流量計測装置として特開昭６０−１３５８２２号公報が知られている。すなわち図８に示すように、流体管路１の流量を羽根車２の回転数によって検出する流体検出手段３と、流体検出手段３の信号から流量計測手段４によって流量を算出するするもので、この流量計測手段４によって流体の使用量を計測し、通信手段５によってコンピュータなどの外部機器６へ伝送し、そのデータに基づき料金を計算することが行われていた。
【０００３】
【発明が解決しようとする課題】
しかしながら、上記従来の計量メータでは通信手段５の作動中にも流体検出手段３での計測が行われており、その通信時に発生するノイズで計測値や通信のデータに誤差が生じることがあった。
【０００４】
本発明は上記課題を解決するもので、正確な流体の計量をすることを目的としている。
【０００５】
【課題を解決するための手段】
上記目的を達成するために本発明の流量計測装置は、以下の構成とした。
【０００６】
すなわち、流体管路の流量を検出する流体検出手段の信号に基づいて流量値を算出する流量計測手段と、流量計測手段の測定の開始または停止を制御する計測発停手段と、流量計測手段の値に基づいた信号を外部に送出する通信手段と、流量計測手段の計測停止時に通信手段を作動させる通信制御手段とを備えたものである。
【０００７】
また、計測発停手段の計測停止時に通信制御手段に信号を送出する計測報知手段を備えたものである。
【０００８】
また、通信制御手段の通信終了時に計測発停手段に信号を送出する通信報知手段を備えたものである。
【０００９】
また、流体管路の流量を検出する流体検出手段の信号に基づいて流量値を算出する流量計測手段と、流量計測手段の値に基づいた信号を外部に送出する通信手段と、通信手段の作動時に前記流量計測手段の計測を停止する計測発停手段とを備えたものである。
【００１０】
また、通信手段は、無線送信手段を備えたものである。
また、通信手段の作動によって停止した流量計測手段の値を破棄し、前回の値を代入して流量値を算出するものである。
【００１１】
また、流体管路に設けられた振動子と、振動子から発信された超音波信号を受信する振動子と、振動子間の信号伝搬時間に基づいて流量を算出する流量計測手段と、流量計測手段に基づいた信号を外部に送出する通信手段と、通信手段の作動時に前記トリガ手段を停止する計測制御手段とを備えたものである。
【００１２】
また、送信手段は通信用振動子により超音波で流体管路内を伝送するものである。
【００１３】
【作用】
本発明は上記構成によって、流体計測手段による流量計測が行われていないときに通信手段によって外部機器との通信を行い、また逆に通信手段によって通信が行われているときには流量計測を中断するものである。
【００１４】
【実施例】
以下、本発明の第１の実施例を図面にもとづいて説明する。図１において、流体管路７の上流側にに超音波振動子８、下流側に超音波振動子９が設けられ、この超音波の信号は流体検出手段１０に送られ、超音波間の超音波の伝搬時間を算出し流量計測手段１１によって管の大きさや流量係数の補正を行い流量を算出する。１２は超音波を発信して計測を開始するまたは停止する計測発停手段で、計測が行われていないときには通信制御手段１３に通信開始の信号を送出し、通信手段１４でデータ収録装置などの外部機器１５にデータを送る。
【００１５】
次に動作について説明する。計測発停手段１２により計測が開始されると、流体検出手段１０から信号が送られ、超音波振動子８から９に超音波が発信され、その超音波を超音波振動子９で受信し、その後今度は逆に超音波振動子９から８に送信される。このときのそれぞれの超音波の伝搬時間を算出し、その時間差に応じて流量計測手段１１で流量を求める。この流量に基づく流量積算値はある時間間隔を置いて通信手段１４で外部機器１５へ送信されるが、この時間間隔は計測発停手段１２において適宜決められている。計測発停手段１２はこの通信の時間を見計らい、流体検出手段１０の計測動作を停止し、通信制御手段１３へ信号を送出し、通信手段１４は電話線を介して外部機器１５へデータを転送する。
【００１６】
図２は第２の実施例であり、流体検出手段１０により流量計測が完了したことを計測報知手段１６に報知し、この信号と計測発停手段１２からの通信開始の信号との両方の信号が共に発せられたとき通信制御手段１３により、通信を開始するもので、流体検出手段１０の作動が膜式メータやタービンメータの様に流体の力で計測が行われ、電気的なコントロールができないときに適する。
【００１７】
図３は第３の実施例であり、計測発停手段１２で計測と停止し、通信制御手段１３を介して通信手段１４から外部機器１５への計量データの送信完了したときに、通信報知手段１７で計測を再開する信号を与えるものである。
【００１８】
図４は第４の実施例であり、外部機器１５から通信手段１４へ計量データの通信要求を行う場合で、この通信要求信号は通信手段１４から計測発停手段１２に送られる。計測発停手段１２は直ちに流量計測を中断するとともに、通信制御手段１３を介して計量データを通信手段１４より外部機器１５へ送信する。このとき計測を中断された流量値は不正確なものであり破棄され、その代わりに前回に計測された流量値もしくは次回に計測される計測値が代入される。
【００１９】
図５は第５の実施例であり、通信手段１４の信号が無線送信手段１８によって外部機器１５と送受信を行うもので、この場合にはノイズが空中を伝わるので、流体検出手段１０にも誤差が生じやすく、計測を停止する効果が大きい。
【００２０】
図６は第６の実施例であり、流量の計測として超音波を用いたものを更に詳細に示したものである。トリガ手段１９から発信回路２０よりバースト信号を送出され切換手段２１を介して、振動子８で発信された超音波信号は、流れの中を伝搬し振動子９で受信され増幅回路２２と比較回路２３で信号処理され、発信から受信までの時間を計時手段２４で測定する。計時が終わると切換手段２１を切り換えて振動子９から振動子８へ向けて超音波を発信するように結線し、再びトリガ手段１９で発信を開始し、前述と同様にして伝搬時間を計時手段２４で計測し、このふたつの伝搬時間から流量計測手段１１で流量を算出する。流量計測手段１１で演算が行われると、次の計測を行うためにトリガ手段１９を再びトリガするが、このとき計量データの通信が要求されておれば、通信制御手段１３を介して通信手段で送信を行い、送信終了時には通信報知手段１７でトリガ手段１９を再びトリガして計測を再開する。
【００２１】
図７は第７の実施例であり、振動子８と９とは別の通信用振動子２５と２６を流体管路７に設けたもので、流体管路７内を超音波によって通信させるものである。このとき流量計測のために用いられる超音波と混同される可能性が大きいので、超音波による計測を中断させる必要性は極めて高い。計量データの通信が要求されるときはトリガ手段１９による振動子８および９の発信を中断し、その後通信用振動子２５から計量データを送信し通信用振動子２６で受信し、電話回線を通じて外部に伝送される。
【００２２】
【発明の効果】
以上の説明から明らかなように本発明の流量計測装置によれば次の効果が得られる。
【００２３】
（１）流体管路の流量を検出する流体検出手段の信号に基づいて流量値を算出する流量計測手段と、流量計測手段の測定の開始または停止を制御する計測発停手段と、流量計測手段の値に基づいた信号を外部に送出する通信手段と、流量計測手段の計測停止時に通信手段を作動させる通信制御手段とを備えたので、通信信号によって発生するノイズによって流量計測値に誤差が発生することがなく、正確な計量値が得られる。
【００２４】
（２）計測発停手段の計測停止時に通信制御手段に信号を送出する計測報知手段を備えので、測定完了と共に直ちに通信を始めることができ待ち時間を少なくできる。
【００２５】
（３）通信制御手段の通信終了時に計測発停手段に信号を送出する通信報知手段を備えたので、通信終了後直ちに流量計測を行うことができ、流量計測の時間を速めることができる。
【００２６】
（４）流体管路の流量を検出する流体検出手段の信号に基づいて流量値を算出する流量計測手段と、流量計測手段の値に基づいた信号を外部に送出する通信手段と、通信手段の作動時に前記流量計測手段の計測を停止する計測発停手段とを備えたので、通信開始と同時に流量計測を停止させることができ、流量計測によって発生するノイズによって通信データに誤りが生じることがなく、正確なデータ送信ができる。
【００２７】
（５）通信手段の作動によって停止した流量計測手段の値を破棄し、前回の値を代入して流量値を算出するので、誤った流量値を計測することがない。
【００２８】
（６）流体管路に設けられた第１振動子と、第１振動子から発信された超音波信号を受信する第２振動子と、振動子間の信号伝搬時間に基づいて流量を算出する流量計測手段と、流量計測手段に基づいた信号を外部に送出する通信手段と、通信手段の作動時に前記トリガ手段を停止する計測制御手段とを備えので、流量計測時に発生する超音波信号によって通信データに誤りを発生させることがなく、また通信によって発生するノイズによって流量値に誤差を生じることがない。
【００２９】
（７）送信手段は通信用振動子により流体管路内を伝送する際にも、流量計測と通信のそれぞれの超音波が混信することがなく、正確な計測とデータの通信を行うことができる。
【図面の簡単な説明】
【図１】本発明の第１の実施例の計量メータの構成および制御ブロック図
【図２】本発明の第２の実施例の計量メータの制御ブロック図
【図３】本発明の第３の実施例の計量メータの制御ブロック図
【図４】本発明の第４の実施例の計量メータの制御ブロック図
【図５】本発明の第５の実施例の計量メータの制御ブロック図
【図６】本発明の第６の実施例の計量メータの構成および制御ブロック図
【図７】本発明の第７の実施例の計量メータの構成および制御ブロック図
【図８】従来の計量メータの制御ブロック図
【符号の説明】
７  流体管路
８  振動子
９  振動子
１０  流体検出手段
１１  流量計測手段
１３  通信制御手段
１４  通信手段
１５  外部機器
１６  計測報知手段
１７  通信報知手段
１８  無線送信手段
１９  トリガ手段
２５  通信用振動子
２６  通信用振動子
【図１】
0003603380.tif 000002
【図２】
0003603380.tif 000003
【図３】
0003603380.tif 000004
【図４】
0003603380.tif 000005
【図５】
0003603380.tif 000006
【図６】
0003603380.tif 000007
【図７】
0003603380.tif 000008
【図８】
0003603380.tif 000009